(57)【要約】【課題】開口の大きさを制限できる画像形成装置を提供する。【解決手段】画像形成装置（１）において、画像形成部（５）は画像読取部（６）の下方、かつ、画像形成装置（１）の後方側にずれるように設けられ、画像読取部（６）よりも画像形成装置（１）の後方、かつ、画像形成部（５）の上方に設けられ、記録ヘッド（４）が幅方向に移動する移動経路の上部に開口部（７）を備え、開口部（７）は記録ヘッドの移動経路を見通せる位置にあり、開口部（７）には柵（８）が設けられる。【選択図】図３
2020163637.tif 000002
【特許請求の範囲】
【請求項１】
搬送経路に沿って搬送されるシートを支持する支持部と、
前記支持部と対向して配置されて前記支持部のシート支持面に沿った幅方向に往復移動する記録ヘッドを有し、前記シートに画像を形成する画像形成部と、
画像を読み取る画像読取部と、
前記画像読取部よりも当該画像形成装置の後方側であって、かつ、前記画像形成部の上方に設けられており、前記記録ヘッドが前記幅方向に移動する移動経路の上部に開口部と、
を備え、
前記画像形成部は、前記画像読取部の下方に設けられ、かつ、前記画像読取部から見て当該画像形成装置の後方側にずれるように設けられており、
前記画像形成部の斜め後ろ上方側から見ると、前記開口部は前記記録ヘッドの移動経路を見通せる位置にあって、
前記開口部には、前記シートの搬送方向に沿った柵が設けられることを特徴とする画像形成装置。
【請求項２】
前記開口部には、Ｌ字状の断面を有し、当該画像形成装置の後方から前方に回動することにより開口する蓋部が設けられることを特徴とする請求項１に記載の画像形成装置。
【請求項３】
前記蓋部において、閉口時に水平になる部分が開口時に水平になる部分よりも当該画像形成装置の前後方向に長いことを特徴とする請求項２に記載の画像形成装置。
【請求項４】
前記蓋部は、Ｌ字状の角部を中心として回動することを特徴とする請求項２又は３に記載の画像形成装置。
【発明の詳細な説明】
【技術分野】
【０００１】
本発明は、画像形成装置に関する。
【背景技術】
【０００２】
従来、画像を印刷するプリンタには、原稿台ガラスの原稿載置面よりも後方を開放可能なカバーが設けられており、記録領域に搬送されるシートがジャムした場合、当該カバーを開くことにより、それらシートを取り除くことができる（例えば、特許文献１）。
【先行技術文献】
【特許文献】
【０００３】
【特許文献１】特開２０１１−２０５１７８号公報
【発明の概要】
【発明が解決しようとする課題】
【０００４】
しかしながら、特許文献１のインクジェットプリンタ複合機では、ユーザが開口から筐体内へ手を伸ばしてジャム等を除去する際、ユーザの手がエンコーダ、搬送ローラ対等に触れてしまい、当該ユーザの手が汚れたりするおそれがあった。
【０００５】
本発明の一態様は、開口の大きさを制限することができる画像形成装置を提供することを目的とする。
【課題を解決するための手段】
【０００６】
上記の課題を解決するために、本発明の一態様に係る画像形成装置は、搬送経路に沿って搬送されるシートを支持する支持部と、前記支持部と対向して配置されて前記支持部のシート支持面に沿った幅方向に往復移動する記録ヘッドを有し、前記シートに画像を形成する画像形成部と、画像を読み取る画像読取部と、前記画像読取部よりも当該画像形成装置の後方側であって、かつ、前記画像形成部の上方に設けられており、前記記録ヘッドが前記幅方向に移動する移動経路の上部に開口部と、を備え、前記画像形成部は、前記画像読取部の下方に設けられ、かつ、前記画像読取部から見て当該画像形成装置の後方側にずれるように設けられており、前記画像形成部の斜め後ろ上方側から見ると、前記開口部は前記記録ヘッドの前記移動経路を見通せる位置にあって、前記開口部には、前記シートの搬送方向に沿った柵が設けられる。
【発明の効果】
【０００７】
本発明の一態様によれば、開口の大きさを制限することができる画像形成装置を提供することができる。
【図面の簡単な説明】
【０００８】
【図１】本発明の実施形態に係る画像形成装置１の斜視図である。
【図２】本発明の実施形態に係る画像形成装置１の斜視図である。
【図３】図１のＡ−Ａ断面図である。
【図４】図２のＢ−Ｂ断面図である。
【発明を実施するための形態】
【０００９】
以下、本発明の実施形態について、詳細に説明する。
【００１０】
＜画像形成装置１の概要＞
図１及び図２は、本実施形態に係る画像形成装置１の斜視図である。図１は、蓋部９が閉口した状態を示す。図２は、図１に示した蓋部９及びその周辺の拡大図であり、蓋部９が開口した状態を示す。
【００１１】
図１、図２ともに、紙面の奥行方向が画像形成装置１の前方を示し、紙面の手前方向が画像形成装置１の後方を示す。また、図１、図２ともに、紙面の上方向が画像形成装置１の上方を示し、紙面の下方向が画像形成装置１の下方を示す。
【００１２】
図２に示すように、蓋部９には、突起部９２と、弾性部１５とが設けられる。突起部９２は、開口した蓋部９の上端部の幅方向全体に設けられる。弾性部１５は、スポンジ等で構成され、開口した蓋部９の裏面にコの字状に設けられる。
【００１３】
一方、開口部７には、溝部７１と、縁部７２とが設けられる。溝部７１は、開口部７の後方の幅方向全体に設けられる。縁部７２は、開口部７の周囲であり、２つの短辺部と、１つの長辺部とからなる。
【００１４】
蓋部９が図１に示すように閉口した場合に、蓋部９の突起部９２と、開口部７の溝部７１とが嵌合する。これにより、花瓶の転倒等による水が開口部７を通して画像形成装置１の内部に浸入するのを防止することができる。
【００１５】
また、蓋部９が図１に示すように閉口した場合に、蓋部９の弾性部１５と、開口部７の縁部７２とが密着する。これにより、印刷動作中の外気吸引による砂塵が開口部７を通して画像形成装置１の内部に浸入するのを防止することができる。
【００１６】
＜画像形成装置１の詳細＞
図３は、図１のＡ−Ａ断面図であり、蓋部９が閉口した状態を示す。図４は、図２のＢ−Ｂ断面図であり、蓋部９が開口した状態を示す。
【００１７】
図３、図４ともに、紙面の右方向が画像形成装置１の前方を示し、紙面の左方向が画像形成装置１の後方を示す。また、図３、図４ともに、紙面の上方向が画像形成装置１の上方を示し、紙面の下方向が画像形成装置１の下方を示す。
【００１８】
画像形成装置１は、少なくとも、給紙部３２と、主搬送部３４と、支持部の一例であるプラテン３と、画像形成部５と、画像読取部６と、開口部７とを備えている。
【００１９】
＜給紙部３２、及び、主搬送部３４＞
給紙部３２は、筐体１８の下方に配置され、記録紙であるシート２を積載可能な給紙カセット３２１と、給紙機構３２２とを有する。給紙機構３２２により給紙されたシート２は、主搬送部３４により画像形成部５に案内され、画像形成部５によって画像が形成される。
【００２０】
給紙カセット３２１は、筐体１８の底部に配置される。給紙機構３２２は、給紙カセット３２１の後方側の上方に配置される。
【００２１】
給紙機構３２２は、給紙カセット３２１に積載されたシート２を給紙する給紙ローラ３２３と、給紙ローラ３２３を支持する支持アーム３２４とを有する。給紙ローラ３２３は、支持アーム３２４に回転可能に設けられ、かつ、給紙カセット３２１に積載されたシート２に接離可能に設けられている。支持アーム３２４は、一方の端部に給紙ローラ３２３を回転可能に支持し、他方の端側が軸３２５を介して筐体１８に支持される棒状の部材である。支持アーム３２４は、軸３２５を中心として回動可能である。給紙ローラ３２３は、給紙カセット３２１に積載されたシート２の後方側の上面に当接し、シート２を後方に向けて搬送する。
【００２２】
主搬送部３４は、筐体１８の後方側の下部に配置される。主搬送部３４は、給紙カセット３２１から搬送されたシート２を画像記録部３６に向けて搬送する。主搬送部３４によって搬送されるシート２は、主搬送路３４１上を搬送される。主搬送部３４は、シート２が主搬送路３４１上を搬送されるようにシート２を案内する第１ガイド部３４２及び第２ガイド部３４３と、シート２を搬送する搬送ローラ対３４６とを有する。
【００２３】
第１ガイド部３４２は、主搬送路３４１の上流側に設けられており、給紙カセット３２１から搬送されたシート２が主搬送路３４１上を搬送されるようにシート２を案内する。
【００２４】
ここで、上流側及び下流側とは、シート２が図３に示す２点鎖線の矢印３６６（シートの搬送方向の一例）により示される搬送向きに主搬送路３４１上を搬送されるとき、２点鎖線の矢印３６６により示される搬送向きにおける上流側及び下流側である。以下、単に「上流側」及び「下流側」と略称する。
【００２５】
第２ガイド部３４３は、第１ガイド部３４２よりも下流側に配置されており、筐体１８に支持されている。第２ガイド部３４３は、所定間隔を隔てて互いに対向する上側第２ガイド３４４と、下側第２ガイド３４５とを有する。第２ガイド部３４３は、第１ガイド部３４２に案内されて搬送されたシート２が画像形成部５に向かうようにシート２を案内する。搬送ローラ対３４６は、第２ガイド部３４３に沿って搬送されたシート２を、前方に搬送する。
【００２６】
＜画像形成部５、及び、開口部７＞
プラテン３は、搬送経路に沿って搬送されるシート２を支持する。
【００２７】
画像形成部５は、プラテン３と対向して配置されて、プラテン３のシート支持面に沿った幅方向に往復移動する記録ヘッド４を有し、シート２に画像を形成する。
【００２８】
記録ヘッド４の右端下部は、シリアルフレーム１０に支持される。記録ヘッド４の左端下部は、シリアルガイドレール１１に支持される。記録ヘッド４は、シリアルフレーム１０及びシリアルガイドレール１１に沿って、紙面に垂直な方向に往復移動することができる。シリアルフレーム１０とシリアルガイドレール１１とには、グリス１３が塗られている。グリス１３が塗られていることによって、記録ヘッド４の右端下部とシリアルフレーム１０との間、記録ヘッド４の左端下部とシリアルガイドレール１１との間を、記録ヘッド４が、幅方向（紙面に垂直な方向）に円滑に往復移動することができる。
【００２９】
エンコーダ１２は、シリアルフレーム１０に設けられている。エンコーダ１２は、記録ヘッド４の幅方向に関する位置を検出するためのものである。
【００３０】
画像形成部５は、画像読取部６の下方に設けられ、かつ、画像読取部６から見て画像形成装置１の後方側にずれるように設けられている。
【００３１】
画像読取部６は、原稿台カバー５２の下に置かれた原稿の下面の画像を読み取る。
【００３２】
開口部７は、画像読取部６よりも画像形成装置１の後方側であって、かつ、画像形成部５の上方に設けられており、記録ヘッド４が幅方向に移動する移動経路の上部に設けられる。画像形成部５の斜め後ろ上方側から見ると、開口部７は記録ヘッド４の移動経路を見通せる位置にある。
【００３３】
図２に示すように、開口部７には、シートの搬送方向に沿った柵８が設けられる。この場合、柵８によって開口部７の大きさを制限することができ、本実施形態では２本の柵８ａ、８ｂを設けている。それにより、ユーザが必要以上に手や指を装置内に入れることによって、周囲に付着したインクで汚れることを防止できる。
【００３４】
開口部７は、画像読取部６の後方、かつ、画像形成部５の上方に斜めから見たときに移動経路を見通せる位置にあり、かつ、画像読取部６よりも低い高さに位置するので、画像形成部５にユーザの指が届き易くなり、破れて残った記録紙の小片を取り除く作業がしやすくなる。また、柵８によって、開口部７による筐体１８の強度低下を防止することもできる。
【００３５】
なお、柵８の大きさ、数については、印刷可能な最大用紙サイズによって、適宜選択すればよく、実施例ではレター幅（２１６ｍｍ）が最大用紙サイズなので、２本としたが、Ａ３幅（２９７ｍｍ）が最大記録サイズの画像形成装置であれば、３本としてもよい。
【００３６】
開口部７には柵８が設けられることにより、破れて残った記録紙の小片を取り除く際に、エンコーダ１２、または、グリス１３にユーザが触れないようにすることができる。
【００３７】
開口部７には、Ｌ字状の断面を有し、画像形成装置１の後方から前方に回動することにより開口する蓋部９が設けられてもよい。この場合、Ｌ字状の断面を有する蓋部９が設けられることにより、開口部７の閉口状態および開口状態を安定させることができる。そして、画像形成装置１の後方から蓋部９の内側を見ることができる。
【００３８】
また、原稿台カバー５２の上面に置かれた、クリップ等の小物が、原稿台カバー５２が開かれることにより、画像読取部６の後方に落下することがある。そのような場合であっても、Ｌ字状の断面を有する蓋部９が設けられているので、当該小物が開口部７に入るのを回避することができる。
【００３９】
また、蓋部９において、閉口時に水平になる部分が開口時に水平になる部分よりも画像形成装置１の前後方向に長くてもよい。この場合、Ｌ字状の断面を有する蓋部９において、閉口時に水平になる部分が開口時に水平になる部分よりも長いので、蓋部９の閉口状態を開口状態よりも安定させることができる。
【００４０】
さらに、蓋部９は、Ｌ字状の角部９１を中心として回動してもよい。この場合、蓋部９がＬ字状の角部９１を中心として回動するため、開口するときに画像形成装置１の後方に突出しないので、画像形成装置１の後部を壁等に付けた状態で設置することができる。
【００４１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００４２】
１  画像形成装置
２  シート
３  プラテン
４  記録ヘッド
５  画像形成部
６  画像読取部
７  開口部
８  柵
９  蓋部
９１  角部
【図１】
2020163637.tif 000003
【図２】
2020163637.tif 000004
【図３】
2020163637.tif 000005
【図４】
2020163637.tif 000006